(57)【要約】【課題】ゴルフクラブヘッドの仕様を変更した場合、変更後の仕様を簡易に表示することが可能な情報表示部を備えたゴルフクラブヘッドを提供すること。【解決手段】本ゴルフクラブヘッドは、ゴルフクラブヘッドに関する情報を表示可能な情報表示部を有し、前記情報表示部は、少なくとも７つ以上の凹部により形成される。【選択図】図２
2018196567.tif 000002
【特許請求の範囲】
【請求項１】
ゴルフクラブヘッドに関する情報を表示可能な情報表示部を有し、
前記情報表示部は、少なくとも７つ以上の凹部により形成されることを特徴とするゴルフクラブヘッド。
【請求項２】
前記情報表示部は、セグメント型またはドットマトリクス型であることを特徴とする請求項１に記載のゴルフクラブヘッド。
【請求項３】
各々の前記凹部の深さは０．３ｍｍ以上５ｍｍ以下であり、
各々の前記凹部の幅は０．６ｍｍ以上５ｍｍ以下であることを特徴とする請求項１または２に記載のゴルフクラブヘッド。
【請求項４】
前記少なくとも７つ以上の凹部により１つの凹部群が形成され、前記凹部群が１単位の情報を表示することを特徴とする請求項１乃至３の何れか１項に記載のゴルフクラブヘッド。
【請求項５】
ゴルフクラブヘッドに関する情報を表示可能な情報表示部が少なくとも７つ以上の凹部により形成されたゴルフクラブヘッドを準備する工程と、
前記ゴルフクラブヘッドの仕様が変わるように調整する工程と、
調整後の前記仕様を前記情報表示部に表示するよう、前記凹部の一部または全部を着色または脱色する工程と、を有することを特徴とするゴルフクラブヘッドの作製方法。
【発明の詳細な説明】
【技術分野】
【０００１】
本発明は、ゴルフクラブヘッド、ゴルフクラブヘッドの作製方法に関する。
【背景技術】
【０００２】
従来のゴルフクラブヘッドにおいて、ゴルフクラブヘッドに関する情報を表示する様々な構成の情報表示部が提案されている。しかしながら、ゴルフクラブヘッドの仕様（ライ角、ロフト角等）を変更した場合、変更後の仕様を簡易に表示することが可能な情報表示部は知られていなかった。
【先行技術文献】
【特許文献】
【０００３】
【特許文献１】実開昭６１−２０００７６号公報
【特許文献２】実開昭６２−１９７３７１号公報
【特許文献３】特開２０１３−２５５７０９号公報
【特許文献４】特開２００２−３１５８５３号公報
【特許文献５】実開昭６１−１４５５６０号公報
【発明の概要】
【発明が解決しようとする課題】
【０００４】
本発明は、ゴルフクラブヘッドの仕様を変更した場合、変更後の仕様を簡易に表示することが可能な情報表示部を備えたゴルフクラブヘッドを提供することを目的とする。
【課題を解決するための手段】
【０００５】
本ゴルフクラブヘッドは、ゴルフクラブヘッドに関する情報を表示可能な情報表示部を有し、前記情報表示部は、少なくとも７つ以上の凹部により形成されることを要件とする。
【発明の効果】
【０００６】
開示の技術によれば、ゴルフクラブヘッドの仕様を変更した場合、変更後の仕様を簡易に表示することが可能な情報表示部を備えたゴルフクラブヘッドを提供できる。
【図面の簡単な説明】
【０００７】
【図１】第１の実施の形態に係るゴルフクラブヘッドを例示する図である。
【図２】第１の実施の形態に係る情報表示部について説明する図である。
【図３】第１の実施の形態に係る情報表示部による情報表示例について説明する図である。
【図４】第１の実施の形態に係るゴルフクラブヘッドの作製及び情報表示について説明する図である。
【図５】第１の実施の形態の変形例１に係るゴルフクラブヘッドを例示する図である。
【図６】第１の実施の形態の変形例２に係る情報表示部について説明する図（その１）である。
【図７】第１の実施の形態の変形例２に係る情報表示部について説明する図（その２）である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、第１の実施の形態に係るゴルフクラブヘッドを例示する図であり、図１（ａ）は正面図、図１（ｂ）は平面図、図１（ｃ）は右側面図、図１（ｄ）は底面図である。
【００１０】
図１では、ゴルフクラブヘッド１をフェース面１１ｆ側から視た図を正面図としており、ゴルフクラブヘッド１を水平面（地面に相当）に基準のライ角及び基準のロフト角通りに接地した場合を図示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、アイアン型のゴルフクラブヘッドであり、フェース部１１と、バック部１２と、ソール部１３と、ホゼル部１５とを有している。ゴルフクラブヘッド１は、例えば、チタン合金、チタン、ステンレス、アルミニウム合金、軟鉄等の金属材料を用いて形成することができる。
【００１２】
フェース部１１は、打撃面となるフェース面１１ｆを備えている。なお、フェース部１１は所定の厚みを有しており、フェース面１１ｆはフェース部１１の外面をなしている。フェース面１１ｆには、トウ−ヒール方向を長手方向とする複数のスコアライン１１ｓ（フェース面１１ｆから窪む溝）が、所定間隔でトップ−ソール方向に配列されている。
【００１３】
バック部１２は、フェース部１１の裏面側に位置する部分である。ソール部１３は、ゴルフクラブヘッド１の底部を形成する部分である。ホゼル部１５は、シャフトと連結される部分である。ホゼル部１５は、ライ角やロフト角を調整する調整機構を備えていてもよい。
【００１４】
ソール部１３には情報表示部２０が設けられている。情報表示部２０は、ゴルフクラブヘッド１に関する情報、例えば、ロフト角、ライ角、バンス角等のゴルフクラブヘッド１の仕様に関する情報を表示可能な部分である。
【００１５】
なお、第１の実施の形態では、一例として情報表示部２０をソール部１３に設ける例を示すが、これには限定されない。情報表示部２０をソール部１３以外に設ける例については後述する。
【００１６】
図２は、第１の実施の形態に係る情報表示部について説明する図であり、図２（ａ）は情報表示部２０の視認に適した方向からゴルフクラブヘッド１を視た図、図２（ｂ）は図２（ａ）の情報表示部２０の拡大図、図２（ｃ）は図２（ａ）のＦ−Ｂ線に沿う部分拡大断面図、図２（ｄ）は図２（ａ）のＴ−Ｈ線に沿う部分拡大断面図である。
【００１７】
図２に示すように、情報表示部２０は、互いに独立した凹部２１１〜２１７からなる凹部群２１と、互いに独立した凹部２２１〜２２７からなる凹部群２２が、フェース−バック方向に配置された構造である。
【００１８】
凹部群２１を構成する凹部２１１〜２１７は、所謂７セグメントと同様に配置されており、選択された凹部内を塗料等で着色することにより、数字やアルファベット等を表示可能である。例えば、凹部２１１〜２１７の全てを着色することで、数字の「８」を表示することができる。
【００１９】
凹部群２２を構成する凹部２２１〜２２７は、便宜上別符号としているが、凹部群２１を構成する凹部２１１〜２１７と同様に構成されている。すなわち、情報表示部２０は、所謂７セグメントと同様に配置された７つの凹部からなる２つの凹部群が、フェース−バック方向に配置された構造である。
【００２０】
但し、これは一例であり、情報表示部２０は、所謂７セグメントと同様に配置された７つの凹部からなる１つの凹部群のみが配置された構成としてもよいし、３つ以上の凹部群が配置された構成としてもよい。又、複数の凹部群は、必ずしも一列に並べて配置する必要はなく、ランダムな位置に配置することができる。
【００２１】
凹部２１１〜２１７及び２２１〜２２７の各々の断面形状は、例えば、矩形状である。但し、これに限定されるものではなく、凹部２１１〜２１７及び２２１〜２２７の断面形状は、半円形状、半楕円形状等であってもよい。
【００２２】
凹部２１１〜２１７及び２２１〜２２７の各々の深さＤ１は、例えば、０．３ｍｍ以上５ｍｍ以下である。凹部２１１〜２１７及び２２１〜２２７の各々の幅Ｗ１は、例えば、０．６ｍｍ以上５ｍｍ以下である。凹部２１１〜２１７及び２２１〜２２７の各々の深さＤ１及び幅Ｗ１をこれらの範囲とすることで、凹部２１１〜２１７及び２２１〜２２７の各々に容易に色入れをすることができる。
【００２３】
このように、情報表示部２０は、少なくとも７つ以上の凹部により形成することができる。これにより、情報表示部２０は、同じ種類の情報（例えば、数字やアルファベット）を２つ以上表示することが可能となる。
【００２４】
また、少なくとも７つ以上の凹部により１つの凹部群が形成され、１つの凹部群が１単位の情報を表示することができる。
【００２５】
例えば、図３（ａ）は、凹部群２２を構成する凹部２２２及び２２５以外の凹部を塗料等で着色した例であり、凹部群２１が１単位の情報である「８」を表示し、凹部群２２が１単位の情報である「５」を表示し、情報表示部２０の全体として数字の「５８」を表示している。
【００２６】
又、図３（ｂ）は、凹部群２１を構成する凹部２１５、並びに凹部群２２を構成する凹部２２２及び２２５以外の凹部を塗料等で着色した例であり、凹部群２１が１単位の情報である「９」を表示し、凹部群２２が１単位の情報である「５」を表示し、情報表示部２０の全体として数字の「５９」を表示している。
【００２７】
例えば、図３（ａ）の状態から凹部２１５を脱色し、図３（ｂ）の状態にすることができる。また、図３（ｂ）の状態から凹部２１５を着色し、図３（ａ）の状態にすることができる。或いは、図３（ａ）または図３（ｂ）の一方の状態から全ての凹部を脱色し、改めて図３（ａ）または図３（ｂ）の他方の状態に着色してもよい。
【００２８】
図１及び図２に示すゴルフクラブヘッド１は、一次完成品である。一次完成品は、そのままでも通常のゴルフクラブヘッドとして使用可能であるが、一部の仕様を変更して二次完成品とすることができる。一部の仕様とは、例えば、ライ角、ロフト角、バンス角等である。ライ角、ロフト角、バンス角は、例えば、ゴルフクラブヘッド１のホゼル部１５の部分を曲げること（ネックの曲げ加工）により調整可能である。
【００２９】
ゴルフクラブヘッド１は、情報表示部２０を備えているため、ライ角、ロフト角、バンス角等を調整した後の仕様を容易に表示することができる。図４を参照しながら、ゴルフクラブヘッドの作製及び情報表示方法について説明する。ここでは、一例として、ロフト角が５８度であるゴルフクラブヘッドを一次完成品とし、ロフト角が５９度であるゴルフクラブヘッドを作製して情報表示する方法について説明する。
【００３０】
まず、ステップＳ１０１では、ゴルフクラブヘッド（便宜上、ゴルフクラブヘッドＡとする）を準備する。ゴルフクラブヘッドＡを準備するには、まず、例えば、鋳造または鍛造によりゴルフクラブヘッド素体を作製し、ゴルフクラブヘッド素体に金型や機械加工等により情報表示部２０となる凹部群２１（凹部２１１〜２１７）及び凹部群２２（凹部２２１〜２２７）を形成する。
【００３１】
次に、情報表示部２０が形成されたゴルフクラブヘッド素体に対し、研磨等の仕上げ処理を行う。その後、ロフト角を示す「５８」を表示するように、凹部群２２を構成する凹部２２２及び２２５以外の凹部を塗料等で着色する。着色は、例えば、塗料を凹部に注入する方法により行うことができる。
【００３２】
これにより、一次完成品であるゴルフクラブヘッドＡの準備が完了する。ゴルフクラブヘッドＡは、例えば、図２（ａ）の情報表示部２０に図３（ａ）の表示を行った状態になる。
【００３３】
次に、ステップＳ１０２では、ゴルフクラブヘッドＡのロフト角を５８度から５９度に調整する。ロフト角は、例えば、ゴルフクラブヘッド１のホゼル部１５の部分を曲げること（ネックの曲げ加工）により調整する。
【００３４】
次に、ステップＳ１０３では、調整後の仕様を情報表示部２０に表示する。まず、「５８」を表示する凹部内の塗料等を全て脱色する。脱色は、例えば、溶剤を使用した方法により行うことができる。この段階で、情報表示部２０の表示は、図３（ａ）の状態から図２（ｂ）の状態に変化する。
【００３５】
次に、調整後のロフト角を示す「５９」を表示するように、凹部群２１を構成する凹部２１５、並びに凹部群２２を構成する凹部２２２及び２２５以外の凹部を塗料等で着色する。この段階で、情報表示部２０の表示は、図２（ｂ）の状態から図３（ｂ）の状態に変化する。これにより、ゴルフクラブヘッドＡの二次完成品の作製が完了する。
【００３６】
なお、上記の説明では、「５８」を表示する凹部内の塗料等を脱色してから、改めて「５９」を表示するように凹部内を着色する例を示した。しかし、「５８」を表示する状態から凹部２１５のみを脱色し、「５９」を表示させてもよい。
【００３７】
また、上記の説明では、情報表示部２０が「５８」を表示したものを一次完成品としたが、図１及び図２を参照して説明したように、情報表示部２０が着色されていない状態を一次完成品としてもよい。この場合には、ステップＳ１０１において、情報表示部２０を構成する所定の凹部を着色する工程を省略することができる。また、ステップＳ１０３において、情報表示部２０を構成する所定の凹部を脱色する工程を省略することができる。
【００３８】
このように、第１の実施の形態に係るゴルフクラブヘッドによれば、同じ種類の情報を２つ以上表示することが可能な情報表示部を設けたことにより、ネック曲げ等によりゴルフクラブヘッドの仕様を変更した場合に、変更後の仕様を簡易に表示することができる。
【００３９】
〈第１の実施の形態の変形例１〉
第１の実施の形態の変形例１では、情報表示部の配置が第１の実施の形態とは異なるゴルフクラブヘッドの例を示す。なお、第１の実施の形態の変形例１において、既に説明した実施の形態と同一構成部についての説明は省略する場合がある。
【００４０】
図５は、第１の実施の形態の変形例１に係るゴルフクラブヘッドを例示する図である。図５（ａ）に示すゴルフクラブヘッド１Ａでは、ソール部１３に情報表示部２０Ａが設けられている。情報表示部２０Ａは、ゴルフクラブヘッド１Ａに関する情報、例えば、ライ角、ロフト角、バンス角等の情報を表示可能な部分である。
【００４１】
情報表示部２０Ａは、情報表示部２０と同様の凹部群２１及び２２に加え、凹部群２１及び２２のトウ側に凹部群２３を備えている。
【００４２】
凹部群２３は、凹部群２１及び２２と同様の構成であるが、凹部群２１及び２２よりも小さく形成されている。但し、これは一例であり、凹部群２３は、凹部群２１及び２２と同じ大きさとしてもよいし、凹部群２１及び２２より大きくしてもよい。
【００４３】
例えば、凹部群２１及び２２を構成する所定の凹部を着色してロフト角を示す数字を表示し、凹部群２３を構成する所定の凹部を着色してバンス角を示す数字を表示することができる。
【００４４】
図５（ｂ）に示すゴルフクラブヘッド１Ｂでは、バック部１２に情報表示部２０が設けられている。情報表示部２０は、ゴルフクラブヘッド１Ｂに関する情報、例えば、ライ角、ロフト角、バンス角等の情報を表示可能な部分である。
【００４５】
図５（ｃ）に示すゴルフクラブヘッド１Ｃでは、ホゼル部１５に情報表示部２０が設けられている。情報表示部２０は、ゴルフクラブヘッド１Ｃに関する情報、例えば、ライ角、ロフト角、バンス角等の情報を表示可能な部分である。
【００４６】
このように、情報表示部は、ゴルフクラブヘッドの必要な位置に適宜設けることができる。また、情報表示部は、所謂７セグメントと同様に配置された７つの凹部からなる凹部群を少なくとも１つ有していればよく、２つ以上の凹部群を所定方向に配置してもよい。また、２つ以上の凹部群を所定方向に配置し、更に、所定方向と異なる方向に１つ以上の凹部群を追加してもよい。
【００４７】
〈第１の実施の形態の変形例２〉
第１の実施の形態の変形例２では、第１の実施の形態とは情報表示部自体の構成が異なる例を示す。なお、第１の実施の形態の変形例２において、既に説明した実施の形態と同一構成部についての説明は省略する場合がある。
【００４８】
図６は、第１の実施の形態の変形例２に係る情報表示部について説明する図（その１）である。図６（ａ）に示すように、情報表示部３０は、互いに独立した凹部３１１〜３１１４からなる凹部群３１を備えている。凹部３１１〜３１１４の各々の断面形状、深さ、及び幅は、例えば、凹部２１１〜２１７と同様とすることができる。
【００４９】
凹部群３１を構成する凹部３１１〜３１１４は、所謂１４セグメントと同様に配置されており、選択された凹部内を塗料等で着色することにより、数字やアルファベット等を表示可能である。
【００５０】
例えば、図６（ｂ）は、図６（ａ）の凹部３１２、３１３、３１５、３１６、３１７、及び３１８を着色することで、アルファベットの「Ｈ」を表示した例である。また、図６（ｃ）は、図６（ａ）の凹部３１２、３１３、３１５、３１６、３１９、及び３１１１を着色することで、アルファベットの「Ｍ」を表示した例である。また、図６（ｄ）は、図６（ａ）の凹部３１４、３１５、及び３１６を着色することで、アルファベットの「Ｌ」を表示した例である。
【００５１】
例えば、ゴルフクラブヘッドの弾道性能を調整したときに、調整後の弾道を、情報表示部３０を用いて「Ｈ」、「Ｍ」、「Ｌ」の何れかで表示することで、高弾道か、中弾道か、低弾道かを示すことができる。但し、情報表示部３０は、第１の実施の形態と同様に、凹部群３１と同様の構成の凹部群を複数個備えていてもよい。
【００５２】
図７は、第１の実施の形態の変形例２に係る情報表示部について説明する図（その２）である。図７（ａ）に示すように、情報表示部４０は、情報表示部２０や３０のようなセグメント型ではなく、７行（Ｍ１〜Ｍ７）×５列（Ｎ１〜Ｎ５）のドットマトリクス型であり、互いに独立した３５個の凹部からなる凹部群４１を備えている。凹部群４１を構成する各々の凹部の断面形状、深さ、及び幅は、例えば、凹部２１１〜２１７と同様とすることができる。
【００５３】
凹部群４１において、選択された凹部内を塗料等で着色することにより、数字やアルファベット等を表示可能である。
【００５４】
なお、図７（ａ）において、情報表示部４０の凹部群４１を構成する各凹部の平面形状は矩形状であるが、これには限定されず、例えば、円形状等であってもよい。
【００５５】
例えば、図７（ｂ）は、図７（ａ）のＭ４行の全ての凹部と、Ｎ１列及びＮ５列の全ての凹部とを着色することで、アルファベットの「Ｈ」を表示した例である。また、図７（ｃ）は、図７（ａ）のＮ１列及びＮ５列の全ての凹部と、（Ｍ２、Ｎ２）、（Ｍ３、Ｎ３）、（Ｍ４、Ｎ３）、及び（Ｍ２、Ｎ４）の凹部とを着色することで、アルファベットの「Ｍ」を表示した例である。また、図７（ｄ）は、図７（ａ）のＭ７行の全ての凹部と、Ｎ５列の全ての凹部とを着色することで、アルファベットの「Ｌ」を表示した例である。
【００５６】
例えば、ゴルフクラブヘッドの弾道性能を調整したときに、調整後の弾道を、情報表示部４０を用いて「Ｈ」、「Ｍ」、「Ｌ」の何れかで表示することで、高弾道か、中弾道か、低弾道かを示すことができる。但し、情報表示部４０は、第１の実施の形態と同様に、凹部群４１と同様の構成の凹部群を複数個備えていてもよい。
【００５７】
このように、情報表示部３０及び４０は、情報表示部２０と同様に、少なくとも７つ以上の凹部により形成することができる。これにより、情報表示部３０及び４０は、同じ種類の情報（例えば、数字やアルファベット）を２つ以上表示することが可能となる。従って、情報表示部３０または４０をゴルフクラブヘッドに設けることにより、ネック曲げ等によりゴルフクラブヘッドの仕様を変更した場合に、変更後の仕様を簡易に表示することができる。
【００５８】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５９】
例えば、上記の実施の形態及び各変形例は適宜組み合わせることができる。例えば、図５（ａ）〜図５（ｃ）に示す２か所以上の位置に情報表示部を設けてもよい。
【００６０】
また、１つのゴルフクラブヘッドに、情報表示部２０、３０、４０を適宜混在して設けてもよい。
【００６１】
また、セグメント型の情報表示部において、１つの凹部群を構成する凹部の個数は７個、１４個以外であってもよい。
【００６２】
また、ドットマトリクス型の情報表示部において、１つの凹部群を構成する凹部の個数は３５個以外であってもよい。
【００６３】
また、情報表示部２０、３０、または４０をアイアン型以外のゴルフクラブヘッド（ウッド、パター等）に設けてもよい。
【符号の説明】
【００６４】
１、１Ａ、１Ｂ、１Ｃ  ゴルフクラブヘッド
１１  フェース部
１１ｆ  フェース面
１１ｓ  スコアライン
１２  バック部
１３  ソール部
１５  ホゼル部
２０、２０Ａ、３０、４０  情報表示部
２１、２２、２３、３１、４１  凹部群
２１１〜２１７、２２１〜２２７、３１１〜３１１４  凹部
【図１】
2018196567.tif 000003
【図２】
2018196567.tif 000004
【図３】
2018196567.tif 000005
【図４】
2018196567.tif 000006
【図５】
2018196567.tif 000007
【図６】
2018196567.tif 000008
【図７】
2018196567.tif 000009